(57)【要約】【課題】多重ガラス障子において、両側のガラス板の端部を保護すると同時に、枠体に接着された両側のガラス板の接着材層の接着力が、万一弱くなった場合でも、ガラス板が脱落しない様に、ガラス板を保持することができる多重ガラス障子用の端面保護カバー及び当該カバーを装着した多重ガラス障子を提供する。【解決手段】第１のガラス板と第２のガラス板とをその周縁部の内側において溝部を有する枠体を配して、第１のガラス板と第２のガラス板との間に中空層が形成されるようにされた多重ガラス障子用の端面保護カバーであって、当該端面保護カバーは、前記枠体の溝部の底面を塞ぐ底面部と、前記枠体の溝部に設けられた係止部と係合するリブ部と、第１のガラス板と第２のガラス板のそれぞれの端部と嵌着する嵌着部とを有することを特徴とする多重ガラス障子用の端面保護カバー及び当該端面保護カバーを用いた多重ガラス障子。【選択図】図４
2014196643.tif 000002
【特許請求の範囲】
【請求項１】
第１のガラス板と第２のガラス板とをその周縁部の内側において溝部を有する枠体を配して、第１のガラス板と第２のガラス板との間に中空層が形成されるようにされた多重ガラス障子用の端面保護カバーであって、当該端面保護カバーは、前記枠体の溝部の底面を塞ぐ底面部と、前記枠体の溝部に設けられた係止部と係合するリブ部と、第１のガラス板と第２のガラス板のそれぞれの端部と嵌着する嵌着部とを有することを特徴とする多重ガラス障子用の端面保護カバー。
【請求項２】
前記嵌着部は、第１のガラス板と第２のガラス板のそれぞれの端部と当接する屈曲部を有することを特徴とする請求項１に記載の多重ガラス障子用の端面保護カバー。
【請求項３】
前記端面保護カバーは、前記枠体の溝部の底面を塞ぐ底面部と、底面部から立脚した一対のリブ部と、底面部の両端側に第１のガラス板と第２のガラス板のそれぞれの端部と嵌着する嵌着部を有することを特徴とする請求項１又は２に記載の多重ガラス障子の端面保護カバー。
【請求項４】
前記嵌着部の屈曲部のそれぞれの先端は、第１のガラス板と第２のガラス板の表面方向に曲がっており、第１のガラス板と第２のガラス板の表面を弾性的に押圧するようになっていることを特徴とする請求項１〜３のいずれか１項に記載の多重ガラス障子の端面保護カバー。
【請求項５】
前記端面保護カバーは、硬質の合成樹脂材料からなることを特徴とする請求項１〜４のいずれか１項に記載の多重ガラス障子の端面保護カバー。
【請求項６】
第１のガラス板と第２のガラス板とをその周縁部の内側において溝部を有する枠体を配して、第１のガラス板と第２のガラス板との間に中空層が形成されてなる多重ガラス障子であって、前記枠体の溝部には端面保護カバーを装着する係止部が設けられており、前記溝部には、前記溝部の底面を塞ぐ底面部と、前記溝部に設けられた係止部と係合されるリブ部と、第１のガラス板と第２のガラス板のそれぞれの端部と嵌着する嵌着部を有する端面保護カバーが装着されてなることを特徴とする多重ガラス障子。
【請求項７】
前記枠体は、前記第１のガラス板及び第２のガラス板の間隔を保持する内面部及び外面側部と、当該内面部及び外面側部に連設されガラス板の内側に面する側辺部と、乾燥剤を収納する空間部とを有するスペーサー部と、前記第１及び第２のガラス板の周縁部の内側に面する左右一対の縦框部を有する框部とを備え、前記した框部の左右一対の縦框部とスペーサー部の外面側部とにより形成される溝部を有することを特徴とする請求項６に記載の多重ガラス障子。
【請求項８】
前記端面保護カバーの嵌着部は、第１のガラス板と第２のガラス板のそれぞれの端部と当接する屈曲部を有することを特徴とする請求項６又は７に記載の多重ガラス障子。
【請求項９】
前記端面保護カバーは、前記枠体の溝部の底面を塞ぐ底面部と、当該底面部から立脚した一対のリブ部と、底面部の両端側に第１のガラス板と第２のガラス板のそれぞれの端部と嵌着する嵌着部を有することを特徴とする請求項６〜８のいずれか１項に記載の多重ガラス障子。
【請求項１０】
前記端面保護カバーの嵌着部の屈曲部のそれぞれの先端は、第１のガラス板と第２のガラス板の表面方向に曲がっており、第１のガラス板と第２のガラス板の表面を弾性的に押圧するようになっていることを特徴とする請求項６〜９のいずれか１項に記載の多重ガラス障子。
【請求項１１】
前記枠体のスペーサー部と框部とは、合成樹脂材料により一体成型されたものであることを特徴とする請求項６〜１０のいずれか１項に記載の多重ガラス障子。
【請求項１２】
前記端面保護カバーは、硬質の合成樹脂材料からなることを特徴とする請求項６〜１１のいずれか１項に記載の多重ガラス障子。
【発明の詳細な説明】
【技術分野】
【０００１】
本発明は、複数枚のガラス板を備えた多重ガラス障子用の端面保護カバー及び当該端面保護カバーを用いた多重ガラス障子に関する。
【背景技術】
【０００２】
２枚のガラス板を、スペーサーを介して隔置し、中空層が形成されてなる複層ガラスは、断熱性及び防音性に優れており、住宅、その他各種建造物の窓用として広く普及している。
このタイプの複層ガラスにおいて、間隔をあけて配設した２枚のガラス板の間に、上下框及び左右の縦框を内装して構成した複層ガラス障子が特許文献１として知られている。
又、複層ガラスを用いた複層ガラス障子構造として、２枚のガラス板を、当該板ガラス間の周縁部内側に凹陥部が形成されるようにガラス板の周縁部の内側に内部スペーサーを介して、該２枚のガラス板間に中空層が形成されるようにして複層ガラスを構成し、この複層ガラスの周縁部の前記凹陥部に保持枠を取付けてなる複層ガラス障子構造が、特許文献２として知られている。
【０００３】
特許文献１に記載の複層ガラス障子は、２枚のガラス板の間に上下框及び左右の縦框を内装することにより、２枚のガラス板の間に広い空間を形成することが容易で、断熱性及び遮音性を高めることができるとともに、表裏の面のガラス板の透視領域のガラス面積の拡大化を図ることにより、美観的にも優れた複層ガラス障子が得られるとされている。
又、特許文献２に記載の複層ガラス障子構造は、框の面積が小さくされており、採光性、意匠性が改善され、開放感があり、框の面積が小さいため、熱損失も少なくすることができ、框の結露の問題も改善できるとされている。
【０００４】
しかしながら、住宅、その他各種建造物の窓のデザインの多様化から、更に採光性能、意匠性及び開放感が優れ、かつ熱損失の少ない複層ガラス障子構造が望まれておる。
又、既存の住宅、その他各種建造物等の窓の室内側にもう一つの内窓を配設し、二重窓化して、防音性、断熱性、防犯性を高める場合、内窓の障子は、より厚さが薄く、開口部が広くて開放感があり、意匠性に優れたものが要求される。
一方、従来の複層ガラスを用いて窓の障子を製作する場合、例えば、２枚のガラス板を、スペーサーを用いて隔置して中間に中空層を有する複層ガラスを製作し、この複層ガラスの周縁部に框を組付けて複層ガラス障子を製作するという複層ガラス製作工程及び框の組付け工程を経るため、部品点数が多く、又組立工数が多いという難点があった。
【０００５】
本発明者は、上記したような要求及び難点の改善された複層ガラス障子、即ち多重ガラス障子として、先に、第１のガラス板と第２のガラス板とをその周囲において枠体により隔置し、中空層を形成してなる多重ガラス障子であって、前記枠体は、前記第１及び第２のガラス板の間隔を保持する内面部及び外面側部と、当該内面部及び外面側部に連設されガラス板の内側に面する側辺部と、乾燥剤を収納する空間部とを有するスペーサー部と、前記第１及び第２のガラス板の周縁部の内側に面する左右一対の縦框部を有する框部とを備え、当該枠体のスペーサー部と框部とは、枠体成型材料により一体成型されてなる多重ガラス障子に関する発明を特許出願した。
【先行技術文献】
【特許文献】
【０００６】
【特許文献１】特開２０００-３５６０７５号公報
【特許文献２】実開昭６０−８９３９４号公報
【発明の概要】
【発明が解決しようとする課題】
【０００７】
本発明は、先に提案した上記多重ガラス障子に最適な端面保護カバー及び当該端面保護カバーを用いた多重ガラス障子を提供することを目的とするものである。
【課題を解決するための手段】
【０００８】
本発明者は、前記目的に基づき、鋭意検討した結果、本発明に至ったものであり、下記する多重ガラス障子用端面保護カバー及び多重ガラス障子を提供するものである。なお、本発明の障子は、スペーサー部と框部とが一体化された枠体を用いて複数枚のガラス板を隔置して構成されているので、複層ガラス障子とは言わず、多重ガラス障子と称する。
（１）第１のガラス板と第２のガラス板とをその周縁部の内側において溝部を有する枠体を配して、第１のガラス板と第２のガラス板との間に中空層が形成されるようにされた多重ガラス障子用の端面保護カバーであって、当該端面保護カバーは、前記枠体の溝部の底面を塞ぐ底面部と、前記枠体の溝部に設けられた係止部と係合するリブ部と、第１のガラス板と第２のガラス板のそれぞれの端部と嵌着する嵌着部とを有することを特徴とする多重ガラス障子用の端面保護カバー。
【０００９】
（２）前記嵌着部は、第１のガラス板と第２のガラス板のそれぞれの端部と当接する屈曲部を有することを特徴とする上記（１）に記載の多重ガラス障子用の端面保護カバー。
（３）前記端面保護カバーは、前記枠体の溝部の底面を塞ぐ底面部と、底面部から立脚した一対のリブ部と、底面部の両端側に第１のガラス板と第２のガラス板のそれぞれの端部と嵌着する嵌着部を有することを特徴とする上記（１）又は（２）に記載の多重ガラス障子の端面保護カバー。
（４）前記嵌着部の屈曲部のそれぞれ先端は、第１のガラス板と第２のガラス板の表面方向に曲がっており、第１のガラス板と第２のガラス板の表面を弾性的に押圧するようになっていることを特徴とする上記（１）〜（３）のいずれかに記載の多重ガラス障子の端面保護カバー。
（５）前記端面保護カバーは、硬質の合成樹脂材料からなることを特徴とする上記（１）〜（４）のいずれかに記載の多重ガラス障子の端面保護カバー。
【００１０】
（６）第１のガラス板と第２のガラス板とをその周縁部の内側において溝部を有する枠体を配して、第１のガラス板と第２のガラス板との間に中空層が形成されてなる多重ガラス障子であって、前記枠体の溝部には端面保護カバーを装着する係止部が設けられており、前記溝部には、前記溝部の底面を塞ぐ底面部と、前記溝部に設けられた係止部と係合されるリブ部と、第１のガラス板と第２のガラス板のそれぞれの端部と嵌着する嵌着部を有する端面保護カバーが装着されてなることを特徴とする多重ガラス障子。
（７）前記枠体は、前記第１のガラス板及び第２のガラス板の間隔を保持する内面部及び外面側部と、当該内面部及び外面側部に連設されガラス板の内側に面する側辺部と、乾燥剤を収納する空間部とを有するスペーサー部と、前記第１及び第２のガラス板の周縁部の内側に面する左右一対の縦框部を有する框部とを備え、前記した框部の左右一対の縦框部とスペーサー部の外面側部とにより形成される溝部を有することを特徴とする上記（６）に記載の多重ガラス障子。
【００１１】
（８）前記端面保護カバーの嵌着部は、第１のガラス板と第２のガラス板のそれぞれの端部と当接する屈曲部を有することを特徴とする上記（６）又は（７）に記載の多重ガラス障子。
（９）前記端面保護カバーは、前記枠体の溝部の底面を塞ぐ底面部と、当該底面部から立脚した一対のリブ部と、底面部の両端側に第１のガラス板と第２のガラス板のそれぞれの端部と嵌着する嵌着部を有することを特徴とする上記（６）〜（８）のいずれかに記載の多重ガラス障子。
（１０）前記端面保護カバーの嵌着部の屈曲部のそれぞれの先端は、第１のガラス板と第２のガラス板の表面方向に曲がっており、第１のガラス板と第２のガラス板の表面を弾性的に押圧するようになっていることを特徴とする上記（６）〜（９）のいずれかに記載の多重ガラス障子。
（１１）前記枠体のスペーサー部と框部とは、合成樹脂材料により一体成型されたものであることを特徴とする上記（６）〜（１０）のいずれかに記載の多重ガラス障子。
（１２）前記端面保護カバーは、硬質の合成樹脂材料からなることを特徴とする上記（６）〜（１１）のいずれかに記載の多重ガラス障子。
【発明の効果】
【００１２】
本発明によれば、上記構造を用いた枠体を用いた多重ガラス障子において、両側のガラス板の端部を保護すると同時に、枠体に接着された両側のガラス板の接着材層の接着力が、万一弱くなった場合でも、ガラス板が脱落しない様に、ガラス板を保持することができる。又、第１のガラス板と第２のガラス板とをその周縁部の内側において配される枠体の溝部を利用して装着する端面保護カバーであるので、多重ガラス障子の小口の見栄えを良くすることができるとともに、見付け面の意匠のスリム化を図ることができる。
又、スペーサー部と框部とが合成樹脂材料により一体成型された枠体を用い、かつ上記した端面保護カバーを用いた多重ガラス障子の場合には、部品点数および組み付け工数を削減することができ、多重ガラス障子の組み立てを簡略化することができ、コスト低減化を図ることができる。
【図面の簡単な説明】
【００１３】
【図１】本発明の一実施形態の多重ガラス障子の概略正面図。
【図２】本発明の一実施形態に係わる多重ガラス障子の一部省略概略斜視図。
【図３】本発明の他の実施形態に係わる多重ガラス障子の一部省略概略斜視図。
【図４】本発明の一実施形態に係わる多重ガラス障子用の端面保護カバーを備えた多重ガラス障子の一部分解の断面説明図。
【図５】本発明の他の実施形態に係わる多重ガラス障子用の端面保護カバーを備えた多重ガラス障子の一部分解の断面説明図。
【図６】本発明の他の実施形態に係わる多重ガラス障子用の端面保護カバーを備えた多重ガラス障子の一部分解の断面説明図。
【図７】本発明の他の実施形態に係わる多重ガラス障子用の端面保護カバーを備えた多重ガラス障子の一部分解の断面説明図。
【図８】本発明の他の実施形態に係わる多重ガラス障子用の端面保護カバーを備えた多重ガラス障子の一部分解の断面説明図。
【図９】本発明の他の実施形態に係わる多重ガラス障子用の端面保護カバーを備えた多重ガラス障子の一部分解の断面説明図。
【図１０】本発明の他の実施形態に係わる多重ガラス障子用の端面保護カバーを備えた多重ガラス障子の一部分解の断面説明図。
【発明を実施するための形態】
【００１４】
次に、本発明の端面保護カバーが適用される多重ガラス障子について、図１〜図１０に基づいて具体的に説明する。図面は本発明の好ましい実施形態を例示したものであり、本発明は例示の図面とその説明に限定されない。
図１は、本発明に係る多重ガラス障子の正面図、図２、３は、本発明に係る多重ガラス障子の一部断面概略斜視図であり、１は多重ガラス障子、２はガラス板、３は多重ガラス障子の枠体を示し、３ａは上端側の枠体、３ｂは多重ガラス障子の側端側の枠体、３ｃは多重ガラス障子の下端側の枠体を示す。以下、本明細書において、上端側の枠体、側端側の枠体、及び下端側の枠体を総称する場合は、枠体３と称する。なお、図２、３においては、多重ガラス障子の説明を簡略化するため、ガラス端面保護カバーは省略してある。
【００１５】
図２は、第１のガラス板２ａと第２のガラス板２ｂを隔置した二重タイプの多重ガラス障子（即ち、ガラス板を２枚有し、１層の中空層４を有するタイプ）の例を示したものである。又、図３は、第１のガラス板２ａと第２のガラス板２ｂとを隔置し、かつもう１枚の中間板５を前記した第１のガラス板２ａと第２のガラス板２ｂとの間に配した、２枚のガラス板と１枚の中間板とを合計３枚有する三重タイプの多重ガラス障子（即ち、２層の中空層４ａ、４ｂを有する多重ガラス障子）の例を示したものである。
【００１６】
図２及び図３に示した多重ガラス障子の枠体３は、図４、図５に示されるように、第１のガラス板２ａと第２のガラス板２ｂの２枚のガラス板の間隔を保持する内面部６及び外面側部７と、当該内面部６及び外面側部７に連設され第１のガラス及び第２ガラス板２ａ、２ｂの内側に面する側辺部８、８と乾燥剤を収納する空間部９とを有するスペーサー部１０と、前記第１のガラス及び第２ガラス板２ａ、２ｂの周縁部の内側に面する縦框部１１、１１と、当該縦框部１１、１１に連設され前記ガラス板２ａ、２ｂの端面部に面する屈曲框部１２を有する框部１３とを備え、前記した框部の左右一対の縦框部とスペーサー部の外面側部とにより形成される溝部１７を有する。なお、図４、５において、図４（ａ）、図５（ａ）は、端面保護カバー３０が、枠体３に装着される前の状態を示した図面であり、図４（ｂ）、図５（ｂ）は、枠体３の溝部１７に端面保護カバー３０が装着されて状態を示した図面である。
【００１７】
上記したスペーサー部１０と框部１３を有する枠体３は、枠体形成用の合成樹脂材料あるいはアルミ材料を、押出し成型法、共押し出し成型法、あるいは射出成型法等の一体成型法により成型されたものが好ましく使用できる。枠体形成用の合成樹脂材料としては、ポリ塩化ビニル樹脂、アクリロニトリル・スチレン樹脂、アクリル樹脂、ＡＢＳ樹脂（アクリロニトリル、ブタジエン及びスチレンの共重合合成樹脂）、ポリエステル樹脂などの合成樹脂材料が好ましく使用される。又、枠体形成用の合成樹脂材料としては、一種に限らず、複数種類の材料を用いて複合構造としてもよい。例えば、異なる合成樹脂材料を共押し出し成型法により部分的に異なる合成樹脂材料からなる複合構造の枠体であってもよい。この複合構造の枠体の場合、いずれか一種の枠体形成用の合成樹脂材料により、一体成型されていればよく、又、一体成型された枠体は、部分的、あるいは全体に異なる合成樹脂材料及び／又は金属材料が接合されていてもよい。特に、硬質のポリ塩化ビニル樹脂材料、又はアクリロニトリル・スチレン樹脂によりスペーサー部１０と框部１３とを一体成型した枠体は、障子として用いたときに、断熱性に優れており、又、一体成型が容易で、耐久性に優れ、安価であるので好ましい。
【００１８】
図５に示した多重ガラス障子の枠体においては、第１のガラス板２ａと第２のガラス板２ｂとをその周囲において枠体３により隔置して形成された中空層内にもう１枚の中間板５が前記第１及び第２のガラス板２ａ、２ｂと隔置して配されるように、スペーサー部１０の内面部６の中間部に、スペーサー部１０の長手方向に沿って、１枚の中間板を挿入する溝部１４が設けられている。そして、溝部１４の両側には、溝部１４に配された中間板５の端部を支持できるように、弾性材料からなるリップ部１５、１５が設けられており、溝部１４の底部には、溝部１４に配される中間板５の端面部を保護し、位置決めを確実にできるように、弾性材料又はクッション性材料等からなるベース部１６が設けられている。なお、上記したようなリップ部による中間板の支持方式に限らず、グレージングチャンネルによる支持方式であってもよいし、又シール材、あるいはバックアップ材による支持方式であってもよい。
【００１９】
又、図６に示した多重ガラス障子の枠体３においては、第１のガラス板２ａと第２のガラス板２ｂとの間の中空層内に、当該第１及び第２のガラス板２ａ、２ｂとそれぞれ隔置して２枚の中間板５ａ、５ｂとが配されるように、スペーサー部１０の内面部６の中間部に、スペーサー部１０の長手方向に沿って、それぞれ隔置した２列の溝部１４、１４が設けられている。即ち、２枚のガラス板と２枚の中間板を有する合計枚数が４枚の四重タイプの多重ガラス障子（３層の中空層４ａ、４ｂ、４ｃを有する多重ガラス障子）を示した例である。又、図７は、スペーサー部１０の内面部６の中間部に、スペーサー部１０の長手方向に沿って、それぞれ隔置した、３列の溝部１４、１４、１４を設けて、３枚の中間板５ａ、５ｂ、５ｃを配した２枚のガラス板と３枚の中間板を有する合計枚数が５枚の五重タイプの多重ガラス障子（４層の中空層４ａ、４ｂ、４ｃ、４ｄを有する多重ガラス障子）を示した例である。これらの例の溝部１４の両側においても、溝部１４に配された中間板５の端部を支持できるように、弾性材料からなるリップ部１５、１５が設けられており、又溝部１４の底部には、溝部１４に配される中間板５ａ、５ｂ、５ｃの端面部を保護し、位置決めを確実にできるように、弾性材料又はクッション性材料等からなるベース部１６が設けられている。
【００２０】
本発明の多重ガラス障子においては、第１及び第２のガラス板２ａ、２ｂが、その周辺部において上記した枠体により隔置され、第１及び第２のガラス板２ａ、２ｂの間に１層の中空層４が、又１枚ないし複数枚の中間板の配設により複数層の中空層（４ａ、４ｂ）、（４ａ、４ｂ、４ｃ）、（４ａ、４ｂ、４ｃ、４ｄ）が形成されており、これら中空層には、乾燥空気、あるいは不活性ガス等の封入ガスが充填され、断熱性及び／又は防音性が高められ、又スペーサー部の空間部に乾燥剤を充填することにより、多重ガラス障子の中空層の結露防止性能が付与される。
【００２１】
本発明の多重ガラス障子の枠体３においては、框部１３の縦框部１１、１１と、スペーサー部１０の外面側部７によって囲まれる溝部１７が、枠体３の長手方向に形成されている。例えば、この枠体３は、図４に示すように、枠体３の中央線Ｂ−Ｂに関し、略左右対称の構造であり、左右の一対の縦框部１１、１１の間には溝部１７が形成されており、框部１３の枠体３の長さ方向の縦断面の形状は略コの字形状となっている。図４においては、下端部の枠体を示しているので、溝部１７は、スペーサー部１０の外面側部７の下方側に形成されており、当該溝部１７は下方側に開口している。即ち、第１のガラス板２ａ及び第２のガラス板２ｂの周縁部に枠体３が内装される構造となっている。この溝部１７には、戸車、戸車支持部材、外れ止め部品、その他の障子機能部材を設けることができ、この障子機能部材は、枠体によって、多重ガラス障子の室外側からも、室内側からも隠蔽された状態となっている。ここにおいて、框部１３の縦框部１１、１１のそれぞれの高さは、同一ないし、略同一とされているのが好ましい。
【００２２】
図４〜図７に示した枠体３において、枠体３の当該縦框部１１、１１に連設され前記ガラス板２ａ、２ｂの端面部に面する屈曲框部１２、１２は、縦框部１１、１１の、スペーサー部１０の側辺部８、８と反対側の終端部から第１のガラス板２ａ、第２のガラス板２ｂ側に屈曲し、横方向に延び、ガラス板の端面部を保護し、支える部分であり、更に必要に応じてガラス板の脱落を防ぐ部分であり、屈曲框部１２、１２の屈曲部分の先端の長さは、これらガラス板の略板厚程度の長さ、あるいはこれらガラス板の外側に若干はみ出る程度の長さとされるのが好ましい。又、枠体３の框部１３が、縦框部１１に連接してガラス板２ａ、２ｂの端面部１３に面する屈曲框部１２を有する形状の場合には、ガラス板２ａ、２ｂの端面部１３と屈曲框部１２との間に間隙部を設けて、この間隙部に透湿防止性能が高い封止材を充填すれば、多重ガラス障子の透湿防止性能、密封性をより一層高めることができる。
図４〜図７においては、多重ガラス障子の枠体の構造を下端側の枠体３（３ｃ）を例にしてその構造について具体的に説明したが、上端側の枠体３ａ及び側端側の枠体３ｂの構造も、基本的には下端側の枠体の構造と同様である。
【００２３】
上記した第１のガラス板２ａ及び第２のガラス板２ｂの形状、板厚は、目的とされる多重ガラス障子の形状、寸法に応じて適宜、選ばれるが、通常の住宅用、その他建造物の窓に使用される場合には、一般的には、矩形の平板のガラス板であり、それぞれの板厚は、０．７ｍｍ〜１０ｍｍの範囲であり、第１及び第２のガラス板２ａ、２ｂの寸法は、同一、又は略同寸法であるのが好ましい。又、第１及び第２のガラス板２ａ、２ｂは、板厚が異なっていてもよいし、種類が異なったガラス板であってもよい。又、ガラス板の種類としては、通常、建築用として用いられているフロートガラス板、普通ガラス板、熱線吸収ガラス板、紫外線吸収ガラス板、熱線反射ガラス板、低放射ガラス板（Ｌｏｗ−Ｅガラス板）、型板ガラス、合わせガラス、線・網入りガラス板、風冷強化ガラス板、化学強化ガラス板や、これらの機能が複合化されたガラス板などが、目的とする要求仕様に応じて適宜使用することができる。
又、第１及び第２のガラス板２ａ、２ｂの間に１枚ないし、２枚以上の中間板５が配される場合、中間板５は、枠体３の内面部６の溝部１４に挿入することができるように、第１及び第２のガラス板２ａ、２ｂより小寸法の相似形の矩形状とされるのが好ましい。
【００２４】
第１及び第２のガラス板２ａ、２ｂが矩形状である場合、第１及び第２のガラス板２ａ、２ｂは、その周縁の４辺において前記した枠体（即ち、上端側、左端側、右端及び下端側の枠体）により隔置されて、多重ガラス障子が構成されるのが好ましい。なお、上端側、左端側、右端及び下端側の枠体のそれぞれが突き合わされる４隅のコーナーにおいては、コーナーブロックを差し込み、それぞれの枠体が連結される。多重ガラス障子の４辺とも同じ形状の枠体を使用し、かつ後述する端面保護カバーを使用すれば、多重ガラス障子の組み付けにおける部品点数を少なくすることができるとともに、多重ガラス障子の周辺部の外観、意匠を同じようにすることができるので好ましい。なお、上記した枠体を用いて多重ガラス障子を作製する場合、枠体３のスペーサー部１０の空間部９への乾燥剤の収納は、必要な辺、又必要な部分に行なえばよい。
【００２５】
上記した多重ガラス障子において、第１及び第２のガラス板２ａ、２ｂの間に、当該ガラス板２ａ、２ｂと隔置して、かつ当該ガラス板２ａ、２ｂと平行に配される中間板５、（５ａ、５ｂ）、（５ａ、５ｂ、５ｃ）は、第１及び第２のガラス板２ａ、２ｂの間の空間部分のガスの対流を少なくし、断熱性を高めるために、また防音性能を高めるために配されるものである。かかる中間板としては、ガラス板、プラスチック板、プラスチックフィルム等が使用できる。中間板としては、透明板であってもよいし、着色されたものであってもよいし、模様付きのものであってもよいし、これらの組合わされたものでもよい。中間板としては、配設される場所、部位、意匠性等に応じて適宜の中間板が使用される。中間板として使用するガラス板としては、第１及び第２のガラス板２ａ、２ｂの間に配されるため、全体の厚さを薄くすることができ、板厚が２ｍｍ以下のガラス板が、好ましく使用できる。かかる板厚のガラス板は、透明性及び耐久性が高く、より剛性も高いので、枠体３のスペーサー部１０の溝部１４に挿入して配設する作業も容易であり、好ましい。
【００２６】
本発明の多重ガラス障子においては、枠体３のスペーサー部１０の側辺部８、８と、框部１３の縦框部１１とは、それらと第１及び第２のガラス板２ａ、２ｂとが面する部分において、接着材層２１により第１及び第２のガラス板２ａ、２ｂと接着され、第１及び第２のガラス板２ａ、２ｂの間に形成される中空層の気密が維持できるようにシールされている。
又、枠体３のスペーサー部１０の左右の側辺部８、８のそれぞれの高さ（即ち、スペーサー部の厚さに略相当する）も、同一、ないし略同一とされているのが好ましい。
枠体３のスペーサー部１０の側辺部８、８の高さは、第１及び第２のガラス板２ａ、２ｂとスペーサー部１０の側辺部８、８との接着材による接着強度、透湿防止性及び意匠性を考慮して所定の高さが選ばれ、又框部１３の縦框部１１、１１の高さも、上記した障子機能部材を収納できるとともに、隠蔽することができ、かつ、第１及び第２のガラス板２ａ、２ｂと框部１３の縦框部１１との接着材による接着強度、透湿防止性及び意匠性を考慮して所定の高さが選ばれる。具体的には、枠体３のスペーサー部１０の側辺部８、８の高さは、５ｍｍ〜１５ｍｍの範囲が好ましく、又框部１３の縦框部１１の高さは、１５ｍｍ〜５０ｍｍの範囲が好ましい。
【００２７】
上記した枠体３のスペーサー部１０の側辺部８、８の第１及び第２のガラス板２ａ、２ｂ側の面の一部には、図４〜７の様に、多重ガラス障子の製造時に、第１及び第２のガラス板２ａ、２ｂとスペーサー部１０の側辺部８、８との間に注入、塗工、ないし配された接着材が、当該側辺部８、８の中空層４側にはみ出ないように、又所定の接着材層２１の厚さを確保できるように、凹部２０ａを設けることが好ましい。又、上記した框部１３の縦框部１１の第１及び第２のガラス板２ａ、２ｂ側の面の一部にも、上記した多重ガラス障子の製造時に、第１及び第２のガラス板２ａ、２ｂと框部１３の縦框部１１との間に注入、塗工、ないし配された接着材が、当該縦框部１１の外側（即ち、第１及び第２のガラス板２ａ、２ｂの端面側）にはみ出ないように、また所定の接着材層２１の厚さを確保できるように、凹部２０ｂを設けることが好ましい。
【００２８】
本発明の端面保護カバーは、図４〜図７に示した様な枠体３の框部１３の左右の一対の縦框部１１、１１の間に形成された溝部１７に装着されるものであり、以下の構成を有することを特徴とする。
即ち、この端部保護カバー３０は、溝部１７への装着が容易であり、かつ多重ガラス障子の端面において溝部１７を塞ぐことができるような構造を有するものであり、溝部１７の底面を多重ガラス障子の端面の長手方向を塞ぐ底面部３１と、縦框部１１、１１の溝部１７側の下方側に設けられた係止部２２、２２と係合するリブ部３２、３２と、第１及び第２のガラス板２ａ、２ｂのそれぞれの端部と嵌着する嵌着部３３、３３とを有する。又、前記嵌着部３３は、第１のガラス板２ａと第２のガラス板２ｂのそれぞれの端部と当接する、第１のガラス板２ａと第２のガラス板２ｂの表面方向に曲がっている屈曲部３４を有し、第１及び第２のガラス板２ａ、２ｂの端部が嵌着部３３に嵌着され、嵌着部３３の屈曲部３４の先端は、第１のガラス板２ａと第２のガラス板２ｂの表面を弾性的に押圧するようになっている。
より具体的には、前記端面保護カバー３０は、前記枠体３の溝部１７の底面を塞ぐ底面部３１と、当該底面部３１の第１のガラス板２ａの溝部１７側、及び第２のガラス板の溝部１７側の所定位置から立脚した一対のリブ部３２、３２と、底面部３１の両端部側に第１のガラス板２ａと第２のガラス板２ｂのそれぞれの端部と嵌着する一対の嵌着部３３を有し、当該嵌着部３３の外側には屈曲部３４、３４が形成され、その先端は、第１のガラス板と第２のガラス板の表面方向に曲がっており、第１のガラス板と第２のガラス板の表面を弾性的に押圧するようになっている。
【００２９】
図４、５に示した例は、縦框部１１、１１の溝部１７側の下方側に設けられたガイド凸条の係止部２２、２２を設け、その係止部２２、２２に対し、横方向からスライドして装着できるように設けられた、先端がＬ字状に屈曲したガイド状のリブ部３２、３２を有する端面保護カバーである。図示した例は、スライド装着方式の例の端部保護カバーであるが、これに限らず、溝部１７に対し、図４〜図７においては下方向から嵌着方式で装着されるような構造としてもよく、又、その他の装着方式に対応できるような構造としたものも使用可能である。
かかる端面保護カバー３０は、硬質の合成樹脂材料、例えば、硬質ポリ塩化ビニル樹脂材料、又はアクリロニトリル・スチレン樹脂により一体成型されたものが好ましい。
【００３０】
上記した嵌着部３３の外側に形成された屈曲部３４、３４は、第１のガラス板２ａと第２のガラス板２ｂの端部の外側の表面方向に曲がっており、第１及び第２のガラス板２ａ、２ｂの外側の下端部を押圧できるような、リップ先端部を有していることが好ましい。この場合、図４（ａ）に示すように、左側の嵌着部３３においては、屈曲部３４の上端部の内側の嵌着溝部となる幅ｘ１は、第１のガラス板２ａの板厚をｙ１、枠体３の縦框部１１の厚さをｚ１としたとき、ｙ１＋ｚ１≧ｘ１とするのが好ましく、又右側の嵌着部３３においては、屈曲部３４の上端部の内側の嵌着溝部となる幅ｘ２は、第１のガラス板２ａの板厚をｙ２、枠体３の縦框部１１の厚さをｚ２としたとき、ｙ２＋ｚ２≧ｘ２とするのが好ましい。このように、嵌着部３３の嵌着溝部の上端の幅ｘ１及びｘ２を設計することにより、枠体３への端面保護カバーの装着を容易、かつ確実に行なうことができる。又、多重ガラス障子が引き違い窓に使用される場合、引き違いの際の多重ガラス障子の端面保護カバーの接触による摩耗を防止するため、少なくとも屈曲部の外側を耐摩耗性の合成樹脂材料により形成することもできる。
【００３１】
端部保護カバー３０が、多重ガラス障子の上辺側、左側辺側、又右側辺側の溝部１７に設けられる場合、上辺側、左側辺側、又右側辺側において要求される機能に応じて、端部保護カバー３０の構造を変更することができる。例えば、引き違い窓方式の多重ガラス障子に利用される場合、引き違いされる側の端部保護カバーの側部に図１０に示すように召し合せ部気密材４０を付設してもよい。
又、引き違い戸の場合、障子用の戸車が装着されるので、戸車を除く部分に上記した端部保護カバーを設ければよい。なお、引き違い窓方式の場合、下辺側への端面保護カバーの装着を行なわず、多重ガラス障子の上辺側、側辺側においては、上記した端部保護カバー３０を配設してもよい。
【００３２】
なお、多重ガラス障子の開閉方式がスイング方式の場合には、戸車が必要でないので、左側辺側、右側辺側及び上辺側の端部保護カバーは、戸車に対応する構造変更は不要であり、下辺側、上辺側、左側辺側、及び右側辺側を同様の構造とすることができる。
特に、第１及び第２のガラス板が矩形形状である多重ガラス障子の４辺のうち、少なくともに上辺側、両側辺側における枠体への端面保護カバーとして、上記した同様な形状のものを使用すれば、端面保護カバーの共通化を図ることができ、多重ガラス障子の組み付け部品点数の削減に効果的である。
【００３３】
枠体３のスペーサー部１０の側辺部８、８と框部１３の縦框部１１、１１とが連設した枠体３の第１及び第２のガラス板２ａ、２ｂと面する部分の構造は、図８に示すように、枠体３のスペーサー部１０の側辺部８、８及び／又は框部１３の縦框部１１、１１の第１及び第２のガラス板２ａ、２ｂと対面する面に凹状部１８が形成されていてもよい。このような凹状部１８が形成されていれば、接着材層２１の厚さをこの凹状部１８の領域において、より厚くすることができ、接着性、封止性を高めることができる。
【００３４】
又、枠体３の框部１３の構造は、図９に示すように、縦框部１１、１１の先の部分（即ち、スペーサー部１０の外面側部７と反対側の部分）が、溝部１７の内側方向に屈曲し、その先が第１及び第２のガラス板２ａ、２ｂの先端方向に延びるような形状にしてもよい。このような屈曲先端部２３を有する縦框部１１、１１の構造は、第１及び第２のガラス板２ａ、２ｂの周縁部分に凹状部２４が形成されるので、この凹状部２４に透水性が低く、接着性の優れた封止材２５を封入すれば、多重ガラス障子の接着性、封止性をより高めることができる。なお、上記したような框部１３の縦框部１１、１１の先端部に屈曲先端部２３を設けず、縦框部１１、１１の先端を直線状としてもよい。この形状は、図４〜７に例示した枠体において、框部１３の縦框部１１、１１の先端に屈曲框部１２が形成されていない例である。
【００３５】
本発明の多重ガラス障子において使用される枠体の各部の厚さ及び高さは、透湿防止性、断熱性、又多重ガラス障子の中空層の内部圧の変動、多重ガラス障子としての強度、耐久性等を考慮して、図４に示すような構造、形状の多重ガラス障子の場合、以下の通りとするのが好ましい。
・枠体３のスペーサー部１０の側辺部８の高さ：５〜１５ｍｍ、
・枠体３のスペーサー部１０の側辺部８の厚さ：０．７〜３．０ｍｍ、
・枠体３のスペーサー部１０の内面部６及び外面側部７の厚さ：０．７〜３．０ｍｍ、
・枠体３のスペーサー部１０の内面部６及び外面側部７の幅：４〜５０ｍｍ、
・枠体３の框部１３の縦框部１１の高さ：１５〜５０ｍｍ、
・枠体３の框部１３の縦框部１１及び屈曲框部の厚さ：０．７〜３．０ｍｍ、
・第１のガラス板２ａと第２のガラス板２ｂとの間隔（即ち、スペーサー部１０の幅）：４ｍｍ〜５０ｍｍ。
【００３６】
又、図５に示すような三重タイプの構造、形状の多重ガラス障子の場合、以下の通りとするのが好ましい。このタイプの多重ガラス障子においては、第１のガラス板２ａと中間板５との間隔と、第２のガラス板２ｂと中間板５との間隔とは、左右対称の寸法であってもよいし、左右異なる寸法であってもよい。なお、枠体３のスペーサー部１０の側辺部８の高さ及び厚さ、枠体３のスペーサー部１０の内面部６及び外面側部７の厚さ並びに幅、枠体３の框部１３の縦框部１１の高さ、枠体３の框部１３の縦框部１１及び屈曲框部の厚さは、前述した通りである。
・第１のガラス板２ａと第２のガラス板２ｂとの間隔（即ち、スペーサー部１０の幅）：８ｍｍ〜５０ｍｍ、
・第１のガラス板２ａと中間板５との間隔：４ｍｍ〜２５ｍｍ、
・第２のガラス板２ｂと中間板５との間隔：４ｍｍ〜２５ｍｍ。
【産業上の利用可能性】
【００３７】
本発明によれば、上記構造を用いた枠体を用いた多重ガラス障子において、両側のガラス板の端部を保護すると同時に、枠体に接着された両側のガラス板の接着材層の接着力が、万一弱くなった場合でも、ガラス板が脱落しない様に、ガラス板を保持することができる。又、第１のガラス板と第２のガラス板とをその周縁部の内側において配される枠体の溝部を利用して装着する端面保護カバーであるので、多重ガラス障子の小口の見栄えを良くすることができるとともに、見付け面の意匠のスリム化を図ることができる。
【符号の説明】
【００３８】
１：多重ガラス障子、        ２：ガラス板、        ２ａ：第１のガラス板、
２ｂ：第２のガラス板、        ３：多重ガラス障子の枠体、      ３ａ：上端側の枠体、３ｂ：の側端側の枠体、        ３ｃ：下端側の枠体、
４、４ａ、４ｂ、４ｃ、４ｄ：中空層、        ５、５ａ、５ｂ、５ｃ：中間板、
６：スペーサー部の内面部、
７：スペーサー部の外面側部、      ８：スペーサー部の側辺部、
９：スペーサー部の空間部、          １０：スペーサー部、      １１：框部の縦框部、１２：框部の屈曲框部、        １３：框部、      １４：スペーサー部の溝部、
１５：リップ部、      １６：ベース部、        １７：枠体の溝部、
１８：凹状部、          ２０ａ：スペーサー部の側辺部の凹部、
２０ｂ：框部の縦框部の凹部、        ２１：接着材層、        ２２：枠体の係止部、
２３：縦框部の屈曲先端部、      ２４：縦框部の凹状部、    ２５：封止材、
３０：端部保護カバー、        ３１：端部保護カバーの底面部、
３２：端部保護カバーのリブ部、        ３３：端部保護カバーの嵌着部、
３４：端部保護カバーの屈曲部、        ４０：召し合せ部気密材、
【図１】
2014196643.tif 000003
【図２】
2014196643.tif 000004
【図３】
2014196643.tif 000005
【図４】
2014196643.tif 000006
【図５】
2014196643.tif 000007
【図６】
2014196643.tif 000008
【図７】
2014196643.tif 000009
【図８】
2014196643.tif 000010
【図９】
2014196643.tif 000011
【図１０】
2014196643.tif 000012